(57)【要約】【課題】製造コストを低減でき、かつ、測量を容易とすることが可能な測量用ターゲットおよびターゲット装置を提供する。【解決手段】測量用ターゲット１０は、中空円筒状に形成された円筒部１１Ａを有しているベース部材１１と、レーザー光を反射する再帰反射材１２とを備え、円筒部１１Ａの外周１１Ｄには、外周１１Ｄの全周にわたって再帰反射材１２が設けられている。再帰反射材１２は、例えば、円筒部１１Ａに貼られた反射シートにより構成され、再帰反射材１２には、再帰反射材１２の全周にわたって上下方向に垂直な水平方向に延びる水平線１２Ａが設けられていることが好ましい。また、ベース部材１１は、円筒部１１Ａの内部空間Ｘを覆う蓋部１１Ｂを有し、蓋部１１Ｂには、上下方向に延びるとともに円筒部１１Ａの中心軸Ａを含む貫通孔１１Ｅが形成されていることが好ましい。【選択図】図１
0003218837.tif 000002
【実用新案登録請求の範囲】
【請求項１】
中空円筒状に形成された円筒部を有しているベース部材と、
レーザー光を反射する再帰反射材とを備え、
前記円筒部の外周には、当該外周の全周にわたって前記再帰反射材が設けられている
ことを特徴とする測量用ターゲット。
【請求項２】
前記再帰反射材は、前記円筒部に貼られた反射シートにより構成されている
ことを特徴とする請求項１に記載の測量用ターゲット。
【請求項３】
前記再帰反射材には、当該再帰反射材の全周にわたって上下方向に垂直な水平方向に延びる水平線が設けられている
ことを特徴とする請求項１または２に記載の測量用ターゲット。
【請求項４】
前記ベース部材は、前記円筒部の内部空間を覆う蓋部を有し、
前記蓋部には、上下方向に延びるとともに前記円筒部の中心軸を含む貫通孔が形成されている
ことを特徴とする請求項１〜３のいずれか一項に記載の測量用ターゲット。
【請求項５】
前記貫通孔には、めねじが形成されている
ことを特徴とする請求項４に記載の測量用ターゲット。
【請求項６】
前記ベース部材は、合成樹脂材料により形成されている
ことを特徴とする請求項１〜５のいずれか一項に記載の測量用ターゲット。
【請求項７】
請求項１〜６のいずれか一項に記載の測量用ターゲットと、
前記測量用ターゲットを支持するポールまたは支持脚とを備える
ことを特徴とするターゲット装置。
【考案の詳細な説明】
【技術分野】
【０００１】
本考案は、測量機からのレーザー光を反射する測量用ターゲットおよび当該測量用ターゲットを備えたターゲット装置に関するものである。
【背景技術】
【０００２】
一般的に、測量機からのレーザー光を当該測量機に向けて反射する反射プリズムにより構成された測量用ターゲットや、レーザー光を反射する反射シートにより構成された測量用ターゲットが知られているが知られている（例えば特許文献１および２参照）。
【先行技術文献】
【特許文献】
【０００３】
【特許文献１】特開２００９−２０４５５７号公報
【特許文献２】特開２０００−３２９５５６号公報
【考案の概要】
【考案が解決しようとする課題】
【０００４】
しかしながら、上記の反射プリズムにより構成された測量用ターゲットは、測量機に向けてレーザー光を反射させ易いため測量を容易に行うことができるものの、製造コストが高いという問題があった。
【０００５】
また、上記の反射シートにより構成された測量用ターゲットは、製造コストが低減できるものの、測量機からのレーザー光を測量機に向けて反射するように、すなわち測量機からのレーザー光が反射シートに対して直角に入射するように、測量用ターゲットの向きを適宜調整する必要があるため、測量を容易に行うことができないという問題があった。特に１人で測量を行う際には、測量用ターゲットの準備と測量機の準備とを、離れた２地点で行う必要があるため、測量に時間を要するという不都合があった。
【０００６】
本考案は、上記事情に鑑みてなされたものであって、製造コストを低減でき、かつ、測量を容易とすることが可能な測量用ターゲットおよび当該測量用ターゲットを備えたターゲット装置を提供することを課題とする。
【課題を解決するための手段】
【０００７】
上記課題を解決するため、請求項１に記載の測量用ターゲットは、中空円筒状に形成された円筒部を有しているベース部材と、レーザー光を反射する再帰反射材とを備え、前記円筒部の外周面には、当該外周面の全周にわたって前記再帰反射材が設けられていることを特徴とする。
【０００８】
また、請求項２に記載の測量用ターゲットは、請求項１に記載の測量用ターゲットにおいて、前記再帰反射材は、前記円筒部に貼られた反射シートにより構成されていることを特徴とする。
【０００９】
また、請求項３に記載の測量用ターゲットは、請求項１または２に記載の測量用ターゲットにおいて、前記再帰反射材には、当該再帰反射材の全周にわたって上下方向に垂直な水平方向に延びる水平線が設けられていることを特徴とする。
【００１０】
また、請求項４に記載の測量用ターゲットは、請求項１〜３のいずれか一項に記載の測量用ターゲットにおいて、前記ベース部材は、前記円筒部の内部空間を覆う蓋部を有し、前記蓋部には、上下方向に延びるとともに前記円筒部の中心軸を含む貫通孔が形成されていることを特徴とする。
【００１１】
また、請求項５に記載の測量用ターゲットは、請求項４に記載の測量用ターゲットにおいて、前記貫通孔には、めねじが形成されていることを特徴とする。
【００１２】
また、請求項６に記載の測量用ターゲットは、請求項１〜５のいずれか一項に記載の測量用ターゲットにおいて、前記ベース部材は、合成樹脂材料により形成されていることを特徴とする。
【００１３】
また、請求項７に記載のターゲット装置は、請求項１〜６のいずれか一項に記載の測量用ターゲットと、前記測量用ターゲットを支持するポールまたは支持脚とを備えることを特徴とする。
【考案の効果】
【００１４】
本考案によれば、製造コストを低減でき、かつ、測量を容易とすることが可能な測量用ターゲットおよびターゲット装置を提供することができる。
【図面の簡単な説明】
【００１５】
【図１】本考案の一実施形態に係る測量用ターゲットの図であって、（Ａ）は側面図、（Ｂ）は断面図、（Ｃ）は上面図、（Ｄ）は下面図である。
【図２】（Ａ）は、本考案のターゲット装置の第１実施例を示す模式図であり、（Ｂ）は、本考案のターゲット装置の第２実施例を示す模式図である。
【図３】（Ａ）は、本考案のターゲット装置の第１変形例を示す模式図であり、（Ｂ）は、本考案のターゲット装置の第２変形例を示す模式図である。
【図４】本考案の変形例に係る測量用ターゲットの図であって、（Ａ）は側面図、（Ｂ）は断面図である。
【図５】本考案のターゲット装置の第３変形例を示す模式図である。
【考案を実施するための形態】
【００１６】
図１を参照して、本考案に係る測量用ターゲット１０の一実施形態を説明する。なお、図１（Ｂ）の断面図は、図１（Ｃ）および（Ｄ）で示すＳ−Ｓ線の断面図である。
図１に示すように、測量用ターゲット１０は、ベース部材１１と再帰反射材１２とを備えている。
【００１７】
ベース部材１１は、耐候性に優れた合成樹脂材料により形成されている。ベース部材１１は、中空円筒状に形成された円筒部１１Ａと、円筒部１１Ａの上端に連続する蓋部１１Ｂとを有している。
【００１８】
円筒部１１Ａは、上下方向に延びる中心軸Ａを有するとともに、下方に向けて開口している内部空間Ｘを有している。また、円筒部１１Ａは、内部空間Ｘを形成する内周１１Ｃと、再帰反射材１２が設けられた外周１１Ｄとを有している。蓋部１１Ｂは、円筒部１１Ａの内部空間Ｘを上方から覆っている。蓋部１１Ｂには、上下方向に延びるとともに円筒部１１Ａの中心軸Ａを含む貫通孔１１Ｅが形成されている。
【００１９】
再帰反射材１２は、円筒部１１Ａに貼られた反射シートにより構成されている。再帰反射材１２は、円筒部１１Ａの外周１１Ｄの全周にわたって設けられている。また、再帰反射材１２には、再帰反射材１２の全周にわたって上下方向に垂直な水平方向に延びる水平線１２Ａが設けられている。
【００２０】
図２を参照して、本考案に係る測量用ターゲット１０を備えたターゲット装置１，２を説明する。各実施例に係るターゲット装置１，２について、共通する構成については同じ符号を使用して説明を省略する
【００２１】
図２（Ａ）に示すように、第１実施例に係るターゲット装置１は、測量用ターゲット１０と、測量用ターゲット１０を支持するポール２０とにより構成されている。ポール２０は、複数のポール体２０Ａ，２０Ｂを繋げて構成されており、測量用ターゲット１０の貫通孔１１Ｅに挿し込まれている。ポール２０の上端部を構成するポール体２０Ｂには、ねじ軸２１が設けられている。また、ポール２０には、ターゲットストッパー２２が設けられている。ターゲットストッパー２２は、ポール２０に固定されたロック状態と、ポール２０に対して上下方向に移動可能なロック解除状態とをとることができる。すなわち、ターゲットストッパー２２の固定位置は、上下方向において調節可能に構成されている。ターゲットストッパー２２は、測量用ターゲット１０の下方への移動を規制することで、測量用ターゲット１０を支持する。ターゲット装置１を用いて測量を行う際は、例えば、１人の作業者がポール２０を保持し、蓋部１１Ｂの貫通孔１１Ｅから上方に突出したポール２０の一部（ポール体２０Ｂ）の延長線と水平線１２Ａとが交差する点に向けて、測量機（図示略）からレーザー光を照射する。
【００２２】
図２（Ｂ）に示すように、第２実施例に係るターゲット装置２は、測量用ターゲット１０と、測量用ターゲット１０を支持するポール２０と、ポール２０を支持する支持脚３０とにより構成されている。ターゲット装置２を用いて測量を行う際は、作業者がポール２０を保持する必要がなくなることを除いては、ターゲット装置１を用いる場合と同様の方法で測量を行うことができる。
【００２３】
上記実施形態では以下の効果が得られる。
（１）測量用ターゲット１０は、中空円筒雑煮形成された円筒部１１Ａを有しているベース部材１１と、レーザー光を反射する再帰反射材１２とを備え、円筒部１１Ａの外周１１Ｄには、外周１１Ｄの全周にわたって再帰反射材１２が設けられている。この構成によれば、測量用ターゲットに反射プリズムを使用する場合に比べて、製造コストを低減できる。また、測量用ターゲット１０の向きを調整することなく、測量用ターゲット１０の周囲３６０°の範囲において任意の場所に設置される測量機からのレーザー光を測量機に向けて反射できるため、測量を容易とすることが可能である。
【００２４】
（２）再帰反射材１２には、再帰反射材１２の全周にわたって上下方向に垂直な水平方向に延びる水平線１２Ａが設けられているため、水平線１２Ａが上下方向におけるレーザー光の照射位置の目印となり、水平線１２Ａを目印にしてレーザー光を適切な高さに照射できる。
【００２５】
（３）蓋部１１Ｂには、上下方向に延びるとともに円筒部１１Ａの中心軸Ａを含む貫通孔１１Ｅが形成されているため、この貫通孔１１Ｅから蓋部１１Ｂの上方に突出したポール２０が水平方向におけるレーザー光の照射位置の目印となり、ポール２０を目印にしてレーザー光を円筒部１１Ａの中心軸Ａに向けて照射できる。
【００２６】
（４）ベース部材１１は、合成樹脂材料により形成されているため、ベース部材１１が、金属材料により形成される場合に比べて、耐候性に優れながらも小型かつ軽量な測量用ターゲット１０を得ることができる。
【００２７】
本考案は、上記実施形態に限定されるものではなく、上記実施形態の構成を適宜変更することもできる。例えば、上記構成を以下のように変更して実施することもでき、以下の変更を組み合わせることもできる。
【００２８】
・貫通孔１１Ｅに、めねじ（図示略）が形成され、貫通孔１１Ｅにポール体２０Ｂのねじ軸２１がねじ込まれるように構成されていてもよい。図３を参照して、本変形例に係る測量用ターゲット１０を備えたターゲット装置３，４を説明する。なお、上記実施例に係るターゲット装置１，２と共通する構成については同じ符号を使用して説明を省略する
【００２９】
図３（Ａ）に示すように、第１変形例に係るターゲット装置３は、測量用ターゲット１０と、ポール２０とにより構成されている。ポール２０は、ねじ軸２１が測量用ターゲット１０の貫通孔１１Ｅにねじ込まれることで、測量用ターゲット１０を支持する。ターゲット装置３を用いて測量を行う際は、例えば、１人の作業者がポール２０を保持し、蓋部１１Ｂの貫通孔１１Ｅから上方に突出したポール２０の一部（ねじ軸２１）の延長線と水平線１２Ａとが交差する点に向けて、測量機（図示略）からレーザー光を照射する。
【００３０】
図３（Ｂ）に示すように、第２変形例に係るターゲット装置４は、測量用ターゲット１０と、ポール２０と、支持脚３０とにより構成されている。ターゲット装置４を用いて測量を行う際は、作業者がポール２０を保持する必要がなくなることを除いては、ターゲット装置３を用いる場合と同様の方法で測量を行うことができる。
【００３１】
上記変形例では以下の効果が得られる。
（５）貫通孔１１Ｅには、めねじが形成されているため、貫通孔１１Ｅにねじ軸２１をねじ込むことで、ターゲットストッパー２２を用いずにポール２０に測量用ターゲット１０を取り付けることができる。
【００３２】
・図４に示すように、測量用ターゲット１０’は、ベース部材１１と、再帰反射材１２と、軸部材１３とを備えていてもよい。軸部材１３は、ナット１４にねじ込まれたねじ軸（ボルト）により構成されている。図５を参照して、本変形例に係る測量用ターゲット１０’を備えたターゲット装置５を説明する。
【００３３】
図５に示すように、第３変形例に係るターゲット装置５は、測量用ターゲット１０’と、測量用ターゲット１０’を支持するポール５０とにより構成されている。ポール５０は、ポール２０に比べて太く、測量用ターゲット１０’の円筒部１１Ａに挿し込まれている。ターゲット装置５を用いて測量を行う際は、例えば、ポール５０を複数のパイプにより組まれたフレーム（図示略）に固定し、蓋部１１Ｂの貫通孔１１Ｅから上方に突出した軸部材１３の一部の延長戦と水平線１２Ａとが交差する点に向けて、測量機（図示略）からレーザー光を照射する。
【００３４】
上記変形例では以下の効果が得られる。
（６）貫通孔１１Ｅから蓋部１１Ｂの上方に突出した軸部材１３が水平方向におけるレーザー光の照射位置の目印となり、軸部材１３を目印にしてレーザー光を円筒部１１Ａの中心軸Ａに向けて照射できる。
【００３５】
・支持脚３０は、ポール２０を介して測量用ターゲット１０を支持するように構成されていなくてもよく、測量用ターゲット１０を直接的に支持するように構成されていてもよい。すなわち、例えば、支持脚３０が、測量用ターゲット１０の貫通孔１１Ｅに挿し込まれる軸部を有していてもよい。
【００３６】
・再帰反射材１２は、１枚の反射シートにより構成されていなくてもよく、複数枚の反射シートにより構成されていてもよい。また、再帰反射材１２が、反射シートにより構成されていなくてもよい。すなわち、例えば、再帰反射材１２が、円筒部１１Ａに塗られた反射塗料により構成されていてもよい。
【符号の説明】
【００３７】
１，２，３，４，５  ターゲット装置
１０，１０’  測量用ターゲット
１１  ベース部材
１１Ａ  円筒部
１１Ｂ  蓋部
１１Ｃ  内周
１１Ｄ  外周
１１Ｅ  貫通孔
１２  再帰反射材
１２Ａ  水平線
１３  軸部材
２０  ポール
３０  支持脚
５０  ポール
Ａ  中心軸
Ｘ  内部空間
【図１】
0003218837.tif 000003
【図２】
0003218837.tif 000004
【図３】
0003218837.tif 000005
【図４】
0003218837.tif 000006
【図５】
0003218837.tif 000007